(57)【要約】 【課題】  コイルボビンを良好に保持するダンパ、振動板、およびスピーカ装置を提供する。【解決手段】ダンパ部材６００の外周枠６１０および内周枠６２０と、アーム部６３０とは、違う素材にて形成されている。このため、外周枠６１０および内周枠６２０と、アーム部６３０とのそれぞれの作用に応じて、それぞれに最も適した素材を用いることができる。したがって、ダンパ部材６００の外周枠６１０、内周枠６２０、およびアーム部６３０は、コイルボビンを保持するための安定した特性を維持できる。このため、ダンパ部材６００は、コイルボビンを良好に保持することができる。したがって、ダンパ部材６００は、良好にコイルボビンを保持することができる。【選択図】 図２
2005303895.tif 000002
【特許請求の範囲】
【請求項１】
フレームに取り付けられ、コイルが巻装されたコイルボビンを保持するダンパであって、
前記フレームに取り付けられる取付部と、前記コイルボビンを保持する保持部と、前記取付部および前記保持部の間に設けられ弾性変形可能な弾性変形部と、を備え、
少なくとも前記取付部および前記保持部と前記弾性変形部とは、異なる素材にて形成された
ことを特徴としたダンパ。
【請求項２】
請求項１に記載のダンパであって、
前記取付部および前記保持部のうちの少なくともいずれか一方は、接着性および耐熱性のうちの少なくともいずれか一方の特性を有した素材にて形成された
ことを特徴としたダンパ。
【請求項３】
請求項１または請求項２に記載のダンパであって、
前記弾性変形部の少なくとも一部は、共振性の低い素材にて形成された
ことを特徴としたダンパ。
【請求項４】
請求項３に記載のダンパであって、
前記弾性変形部は、一部に、剛性、弾性力および靱性のうちのいずれかの特性が高い素材が部分的に設けられた
ことを特徴としたダンパ。
【請求項５】
フレームに取り付けられ、コイルが巻装されたコイルボビンを保持するダンパであって、
前記フレームに取り付けられる取付部と、前記コイルボビンを保持する保持部と、前記取付部および前記保持部の間に設けられ弾性変形可能な弾性変形部と、を備え、
前記取付部、前記保持部および前記弾性変形部のうちの少なくとも前記弾性変形部は、少なくとも一部に部分的に特性が異なる素材が設けられた
ことを特徴としたダンパ。
【請求項６】
請求項５に記載のダンパであって、
前記弾性変形部は、前記取付部および前記保持部の間に長手状に設けられ、
前記特性が異なる素材は、断面において組成が異なる状態に設けられた
ことを特徴としたダンパ。
【請求項７】
請求項５または請求項６に記載のダンパであって、
前記特性が異なる素材のうちの１つは、共振性の低い素材である
ことを特徴としたダンパ。
【請求項８】
請求項５ないし請求項７のいずれかに記載のダンパであって、
前記取付部および前記保持部のうちの少なくともいずれか一方は、接着性および耐熱性のうちの少なくともいずれか一方の特性を有した素材が少なくとも一部に設けられた
ことを特徴としたダンパ。
【請求項９】
コイルボビンと、
このコイルボビンに鍔状に設けられた振動部と、
請求項１ないし請求項８のいずれかに記載のダンパと、
を備えたことを特徴とした振動板。
【請求項１０】
フレームと、
このフレームに配設される磁気回路と、
前記フレームに取り付けられる振動板と、
前記フレームに取り付けられる請求項１ないし請求項８のいずれかに記載のダンパと、
前記振動板および前記ダンパに取り付けられ前記磁気回路に近接して配設されるボイスコイルが巻装されたコイルボビンと、
を具備したことを特徴としたスピーカ装置。
【請求項１１】
フレームと、
このフレームに配設される磁気回路と、
前記フレームに取り付けられる請求項９に記載の振動板と、
を具備したことを特徴としたスピーカ装置。
【発明の詳細な説明】
【技術分野】
【０００１】
本発明は、ボイスコイルが巻き付けられたコイルボビンを嵌合するダンパ、振動板、およびスピーカ装置に関する。
【背景技術】
【０００２】
一般に、スピーカ装置には、ボイスコイルボビンをフレームに対して振動自在に支持する蝶ダンパが設けられている（例えば、特許文献１参照）。この特許文献１に記載された蝶ダンパは、スピーカに取り付けられる外枠部と、ボイスコイルボビンを取り付ける内枠部と、この内枠部と前記外枠部との間に橋架されて内枠部を外枠部に対して振動自在に支持する複数のアーム部とを備えている。そして、これらの外枠部、内枠部、およびアーム部は、内部損失が０．０４５以上、引き張り強度が２００％以上、曲げ弾性率が３００Mpa以上の物性値を有するオレフィン系樹脂材によって、一体に形成されている。
【０００３】
【特許文献１】特開２００２−３００６９６号公報（第３頁、図２）
【発明の開示】
【発明が解決しようとする課題】
【０００４】
ところで、蝶ダンパにおいて、外枠部および内枠部は、フレームやボイスコイルボビンに対して接着固定されるために、接着性に優れた素材で形成されることが好ましい。また、スピーカ装置が、例えば車両などの高温となりうる場所に搭載された場合が考えられるため、耐熱性を有した素材であることが好ましい。これに対して、アーム部は、内周枠を外周枠に対して振動可能に支持する部分であるため、所定の弾性力を有して柔軟性を有する必要がある。また、アーム部がボイスコイルボビンの振動に対して共振してしまうと、アーム部が破損したり、スピーカ装置から出力される音声に雑音が混ざったりするおそれがあるので、アーム部は、低共振性の素材で形成されることが好ましい。
【０００５】
しかしながら、特許文献１のような蝶ダンパでは、外枠部と内枠部とアーム部とが同一素材により一体形成されているため、上記のように各部毎に素材を変更することができない。したがって、例えば蝶ダンパをポリブチレンテレフタレート樹脂のみで形成した場合、アーム部の弾性力が不足したり、十分な低共振性を得られなかったりするため、アーム部としての機能が低下するおそれがある。また、例えば蝶ダンパをポリプロピレン樹脂などで形成した場合、外枠部とフレームとの取り付け、または内枠部とボイスコイルボビンとの取り付けに十分な接着力を得ることができず、不安定になったり、高熱によってボイスコイルボビンの振動支持能力が低かしたりするおそれがある。このように、蝶ダンパを１つの素材で形成すると、外枠部と内枠部とアーム部とのそれぞれの機能の違いにより、十分に機能を発揮できない部分が発生する。このため、ボイスコイルボビンを安定して保持できない場合がある。
【０００６】
本発明の目的は、コイルボビンを良好に保持できるダンパ、振動板、およびスピーカ装置を提供することである。
【課題を解決するための手段】
【０００７】
請求項１に記載の発明は、フレームに取り付けられ、コイルが巻装されたコイルボビンを保持するダンパであって、前記フレームに取り付けられる取付部と、前記コイルボビンを保持する保持部と、前記取付部および前記保持部の間に設けられ弾性変形可能な弾性変形部と、を備え、少なくとも前記取付部および前記保持部と前記弾性変形部とは、異なる素材にて形成されたことを特徴としたダンパである。
【０００８】
請求項９に記載の発明は、コイルボビンと、このコイルボビンに鍔状に設けられた振動部と、請求項１ないし請求項８のいずれかに記載のダンパと、を備えたことを特徴とした振動板である。
【０００９】
請求項１０に記載の発明は、フレームと、このフレームに配設される磁気回路と、前記フレームに取り付けられる振動板と、前記フレームに取り付けられる請求項１ないし請求項８のいずれかに記載のダンパと、前記振動板および前記ダンパに取り付けられ前記磁気回路に近接して配設されるボイスコイルが巻装されたコイルボビンと、を具備したことを特徴としたスピーカ装置である。
【００１０】
請求項１１に記載の発明は、フレームと、このフレームに配設される磁気回路と、前記フレームに取り付けられる請求項９に記載の振動板と、を具備したことを特徴としたスピーカ装置である。
【発明を実施するための最良の形態】
【００１１】
以下に、本発明のスピーカ装置の一実施の形態の構成について図面を参照して説明する。なお、本実施の形態では、コーン型のスピーカ装置について例示するが、他のスピーカ装置を対象とすることができる。図１は、本発明における一実施の形態に係るスピーカ装置を示す断面図である。図２は、ダンパ部材６００の概略を示す平面図である。
【００１２】
（スピーカ装置の構成）
図１において、１００はスピーカ装置で、このスピーカ装置１００は、電気的に接続される再生装置からの電気信号である音声データを発音により出力する。このスピーカ装置１００は、フレーム２００と、磁気回路を構成する磁石３００と、磁気回路を構成する磁性体２２０と、振動板４００と、コイルボビン５００と、ボイスコイル７００と、図示しない保護部材と、を備えている。
【００１３】
フレーム２００は、例えば硬質の合成樹脂やアルミニウム合金などの軽量金属材料などにて形成されている。そして、フレーム２００は、一面側に向けて拡開する略凹状の本体部２１０と、この本体部２１０に一体的に設けられた磁気回路を構成するヨークである磁性体２２０と、を備えている。
【００１４】
本体部２１０は、底面略中央に略円形の開口２１１が穿設され一面側に向けて開口する略円筒形の底部２１２を有している。また、底部２１２の拡開する側の周縁部には、底面に略平行な第１取付面を有した第１取付段差部２１４Ａが設けられている。この第１取付段差部２１４Ａの外周縁には、略放射状に架橋部２１３が先端側で互いに拡開する状態に複数一連に設けられている。さらに、架橋部２１３の先端には、略リング状で、底部２１２の底面に略平行な第２取付段差部２１４Ｂが一連に設けられている。この第２取付段差部２１４Ｂの外周縁には、底部２１２と略同軸状の円筒状に形成された位置決め筒部２１５が一連に設けられている。また、本体部２１０には、電気信号の音声データが入力される端子２１６Ａを有するターミナル２１６が一体的に取り付けられている。
【００１５】
磁性体２２０は、上ヨーク２２１と、下ヨーク２２２と、を備えている。上ヨーク２２１は、磁性材料にて略リング状に形成されている。この上ヨーク２２１は、例えば接着剤などにて本体部２１０の底面に、内周が底部２１２の開口２１１と同軸上となる状態に一体的に取り付けられる。下ヨーク２２２は、例えば上ヨーク２２１と同材質に形成されている。この下ヨーク２２２は、略円板上の板部２２２Ａの略中央に一面側に略円筒状に突起部２２２Ｂを有した略凸状に形成されている。そして、下ヨーク２２２は、板部２２２Ａが上ヨーク２２１とにより磁石３００を挾持する状態に例えば接着剤にて磁石３００を介して上ヨーク２２１に一体的に取り付けられる。この下ヨーク２２２が取り付けられた状態は、突起部２２２Ｂの外周面が上ヨーク２２１の内周面に所定の間隙で対向して磁気ギャップを形成する状態となっている。
【００１６】
磁石３００は、例えばリング状に形成され、軸方向の両端面に磁極面が形成されている。そして、磁石３００は、上述したように、上ヨーク２２１と下ヨーク２２２の板部２２２Ａとの間に挾持される状態で、例えば接着剤にて取り付けられている。この取り付けられた状態は、磁石３００の内周側に下ヨーク２２２の突起部２２２Ｂが略同軸上に貫通する状態となっている。この磁石３００の取り付けにより、下ヨーク２２２の突起部２２２Ｂの外周面と上ヨーク２２１の内周面とが異なる磁極で対向する状態となり、磁石３００および磁性体２２０にて磁気回路が構成される。
【００１７】
振動板４００は、例えば表面が防触処理されたマグネシウム薄板やコーン紙、各種繊維のシート部材などにて略薄膜状に形成されている。この振動板４００は、一面側に向けて拡開する略裁頭形状（コーン形状）の振動部４１０を有している。振動部４１０の外周縁には、振動部４１０が拡開する側と同方向に突出する状態に断面略Ｕ字状に屈曲するエッジ部４２０が一連に設けられている。さらに、エッジ部４２０の外周縁には、外方に鍔状に突出し、フレーム２００の第２取付段差部２１４Ｂの取付面に例えば接着剤にてリング状の取付部材４４０にて挾持される状態に取り付けられ、フレーム２００に支持される。なお、エッジ部４２０を別部材として、振動部４１０の外周縁近傍に接着などにより取り付けて一連に振動板４００を構成してもよい。
【００１８】
また、振動板４００には、略円筒状のコイルボビン５００が一体的に設けられている。このコイルボビン５００は、例えば振動板４００と同材質、あるいはアルミニウムなどの金属や合成樹脂またはガラス繊維などの繊維を含有する合成樹脂などにより構成されている。そして、コイルボビン５００は、外径が振動板４００の取付部４５０の内径と略同寸法の略円筒状に形成され、軸方向の一端側が例えば接着剤などを用いて一体的に取り付けられている。なお、コイルボビン５００は、振動板４００が拡開する側の一端側に端面を閉塞する球面ドーム状のダストキャップが例えば接着剤にて接着されて一体的に設けられた構成としてもよい。
【００１９】
コイルボビン５００には、コイルとしてのボイスコイル７００が巻装されている。ボイスコイル７００は、コイルボビン５００の軸方向の他端側の外周面に巻装されている。このボイスコイル７００の巻装状態は、例えば接着剤等にて固定されている。このボイスコイル７００は、振動板４００がフレーム２００に取り付けられた状態で、例えば磁性体２２０の下ヨーク２２２および上ヨーク２２１の対向する磁気ギャップに位置する状態に巻装される。そして、ボイスコイル７００の線材の両端部が引き出され、フレーム２００に設けられたターミナル２１６の端子２１６Ａに接続されて音声データの入力端となる。
【００２０】
また、コイルボビン５００には、略円板状のダンパとしてのダンパ部材６００が設けられている。このダンパ部材６００は、図２および図３に示すように、フレーム２００に取り付けられる略環状の取付部としての外周枠６１０と、コイルボビン５００を挿通させる略環状の保持部としての内周枠６２０と、これらの外周枠６１０および内周枠６２０を連結する弾性変形部としてのアーム部６３０と、を備えている。そして、ダンパ部材６００は、例えば合成樹脂の射出成形などによって外周枠６１０と内周枠６２０とアーム部６３０とが一体的に形成されている。このダンパ部材６００は、ボイスコイル７００が上ヨーク２２１と下ヨーク２２２の突起部２２２Ｂとの間に形成される磁気ギャップに位置する状態で、コイルボビン５００を保持している。そして、ボイスコイル７００に電圧を印加した際に、アーム部６３０が弾性変形して、コイルボビン５００が軸方向に往復移動可能となるように保持している。
【００２１】
外周枠６１０は、外形寸法はフレーム２００の第１取付段差部２１４Ａの内径寸法と略同寸法以下に形成され、第１取付段差部２１４Ａの取付面に例えば接着剤などにて固定されている。したがって、外周枠６１０としては、例えば多孔性物質などの接着性が良好な素材が選択されることが好ましい。また、フレームの振動や電圧による温度の上昇、さらに、外界の温度の上昇など、温度の変化に耐えるために、外周枠６１０は、耐熱性が良好となる素材が選択されることが好ましい。具体的には、ここで述べる耐熱性を有する素材とは、例えば融点が２００度以上の素材であることが好ましい。この融点を有する素材では、外界の温度上昇に加えて、前述したようにフレーム２００の振動や電圧による温度上昇によって、変形または軟化することがなく、外周枠６１０を良好にフレーム２００に固定できる。このような外周枠６１０としては、例えばポリブチレンテレフタレート樹脂（ＰＢＴ：Poly Butylene Terephthalate）などの多孔性構成で接着性がよく、さらに良好な耐熱性を有する素材を採用できる。
【００２２】
内周枠６２０は、コイルボビン５００が軸方向に往復運動可能となるように保持している。これには、内周枠６２０とコイルボビン５００との間には、図示しない接着剤が充填され、内周枠６２０とコイルボビン５００とを接着固定している。この内周枠６２０は、コイルボビン５００の往復運動時に、このコイルボビン５００を確実に保持できることが要求される。また、内周枠６２０は、ボイスコイル７００に電圧が印加されることによる温度上昇や、外界の温度上昇に耐える耐熱性が要求される。この耐熱性を有する素材としては、外周枠６１０と同様に、融点が２００度以上である素材が好ましい。この融点を有する素材では、外界の温度上昇や、コイルボビン５００の温度上昇により変形したり軟化したりすることがなく、良好にコイルボビン５００を保持できる。したがって、内周枠６２０は、良好な接着性と良好な耐熱性を有する素材で形成されることが好ましい。このような接着性および耐熱性に優れた素材としては、例えばポリブチレンテレフタレート樹脂などが挙げられる。
【００２３】
アーム部６３０は、外周枠６１０と内周枠６２０との間に均等間隔で４つ設けられ、外周枠６１０と内周枠６２０とを連結している。アーム部６３０は、例えば、図２に示すように、蛇行状に湾曲して長手状に形成されている。そして、アーム部６３０が撓むことによって、内周枠６２０は、外周枠６１０に対して軸方向に往復移動可能となる。これにより、コイルボビン５００は、軸方方向に往復移動可能となり、この往復移動により振動板４００を振動させることができる。また、アーム部６３０は、蛇行状にして湾曲して形成されている例を示したが、これに限らない。例えば、アーム部は、断面が略波形状に形成されていてもよく、また、外周枠６１０と内周枠６２０との間に鍔状に形成されていてもよい。
【００２４】
このようなアーム部６３０において、ボイスコイル７００に電圧を印加した時、アーム部６３０がコイルボビン５００の運動に伴う振動板４００の振動に共振すると、スピーカ装置１００から出力される音が割れたり、雑音が混ざったり、あるいはアーム部６３０が破損したりする原因となる。したがって、アーム部６３０には、共振性の低い素材、例えばポリプロピレン樹脂（ＰＰ：PolyPropylene)、熱可塑性エラストマ、ポリアミドなどを用いることが好ましい。
【００２５】
また、アーム部６３０は、コイルボビン５００の運動に伴う内周枠６２０の往復運動を安定支持するために、所定の剛性、靭性、および弾力性を備え、内周枠６２０の運動により破損しない素材であることが望まれる。しかし、このような素材を用いると、アーム部６３０の硬度が増し、振動板４００の振動に共振してしまい、雑音などの原因となる。
【００２６】
これに対して、アーム部６３０は、図３(Ａ)に示すような断面構造となっている。すなわち、アーム部６３０は、略中心軸に形成される軸部６３１と、軸部６３１の周囲に覆って形成される周部６３２とを備えている。そして、軸部６３１は、前述した共振性の低い素材で形成され、周部６３２は、所定の剛性、靭性、および弾力性を備えた素材、例えばポリブチレンテレフタレート樹脂などで形成されている。これにより、軸部６３１によりアーム部６３０の共振を防止し、周部６３２によりアーム部６３０の強度を維持できる。
【００２７】
なお、ここでは、軸部６３１が低共振性の素材で形成され、周部６３２が剛性、靭性、および弾力性が良好な素材で形成される例を示したが、これに限らない。例えば、図３（Ｂ）に示すアーム部６３０Ｂのように、軸部６３１Ｂは、剛性、靭性、および弾力性が良好な素材で形成され、周部６３２Ｂが低共振性の素材で形成されているものであってもよい。
【００２８】
さらに、図３（Ｃ）に示すような構成としてもよい。図３（Ｃ）において、アーム部６３０Ｃは、アーム部６３０Ｃの長手方向に伸びる第1線状部材６３１Ｃと、同じくアーム部６３０Ｃの長手方向に伸びる第2線状部材とを備え、これらの第1線状部材６３１Ｃと第2線場部材６３２Ｃとが互いに融着、接着などで固定されているものであってもよい。このような構成では、例えば第1線状部材６３１Ｃが低共振性の素材で形成され、第2線状部材６３２Ｃが剛性、靭性、および弾力性が良好な素材で形成される。また、図３（Ｄ）に示すアーム部６３０Ｄのように、第1線状部材６３１Ｄが剛性、靭性、および弾力性が良好な素材で形成され、第2線状部材６３２Ｄが低共振性の素材で形成される構成としてもよい。なお、図３（Ｃ）(Ｄ)では、アーム部６３０Ｃ，６３０Ｄの断面は略円形に形成されているが、これに限らず、例えば、断面多角形状であってもよく、断面略楕円形状であってもよい。
【００２９】
保護部材は、例えば合成樹脂や金属材料などにて例えばメッシュ状に形成され、振動板４００の拡開する側を覆う状態にフレーム２００の位置決め筒部２１５に取り付けられる。この保護部材の取り付けは、例えば接着剤などにて取り付けられる他、嵌合固定やねじ止めなど、いずれの方法で取り付けられる。また、スピーカ装置１００は、保護部材を設けない構成としてもよい。
【００３０】
（ダンパ部材の製造方法）
次に、上記スピーカ装置１００のダンパ部材６００の製造方法について説明する。図３は、ダンパ部材６００を成形するための金型のうち下型を示すものである。なお、ここでは、下型に合成樹脂を射出する射出口を設けた金型を例示するが、これに限らず、例えば上型に射出口が設けられた構成としてもよい。
【００３１】
上述したように、ダンパ部材６００は、外周枠６１０および内周枠６２０にポリブチレンテレフタレート樹脂などを用い、アーム部６３０にポリプロピレン樹脂などを用い、一体的に形成する。これのようなダンパ部材６００を成形するためには、図３に示すような金型８００を用いる。なお、図３には、金型８００のうち下型８０１のみを図示し、上型を省略する。この金型８００は、例えば、外周枠６１０を成形する取付部キャビティとしての外周枠キャビティ８１０と、内周枠６２０を成形する保持部キャビティとしての内周枠キャビティ８２０と、弾性変形部キャビティとしてのアーム部６３０を成形する４つのアーム部キャビティ８３０と、を備え、アーム部キャビティ８３０により外周枠キャビティ８１０と内周枠キャビティ８２０とが連通されている。
【００３２】
そして、外周枠キャビティ８１０には、隣り合う外周枠キャビティ８１０とアーム部キャビティ８３０との連結位置８１０Ａ，８１０Ｂ，８１０Ｃ，８１０Ｄの略中間に、外周枠６１０を形成するポリブチレンテレフタレート樹脂を射出する射出口８１１が形成されている。同様に、内周枠キャビティ８２０には、隣り合う内周枠キャビティ８２０とアーム部キャビティ８３０との連結位置８２０Ａ，８２０Ｂ，８２０Ｃ，８２０Ｄの略中間に、内周枠６２０を形成するポリブチレンテレフタレート樹脂を射出する射出口８２１が形成されている。また、各アーム部キャビティ８３０には、外周枠キャビティ８１０との連結位置８１０Ａ，８１０Ｂ，８１０Ｃ，８１０Ｄから内周枠キャビティ８２０との連結位置８２０Ａ，８２０Ｂ，８２０Ｃ，８２０Ｄまでの略中間位置に、アーム部６３０を形成するポリプロピレン樹脂を射出する射出口８３１が形成されている。
【００３３】
このような金型８００を用いたダンパ部材６００の製造では、まず、ポリプロピレン樹脂などの低共振性を有する素材で形成されたアーム部６３０の軸部６３１を、図示しない他の金型により予め形成しておく。そして、この軸部６３１をアーム部キャビティ８３０に設置する。この時、下型８０１と上型とで軸部６３１を挟持し、軸部６３１がアーム部６３０の略中心軸に配置されるようにする。そして、各射出口８１１，８２１，８３１から例えばポリブチレンテレフタレートなどの良好な耐熱性、接着性を備え、および剛性、靭性、および弾力性の優れた素材を射出する。
【００３４】
（スピーカ装置の作用効果）
上述したように、上記実施の形態では、ダンパ部材６００の外周枠６１０および内周枠６２０と、アーム部６３０とは、違う素材にて形成されている。このため、外周枠６１０および内周枠６２０と、アーム部６３０とのそれぞれの作用に応じて、それぞれに最も適した素材を用いることができる。したがって、ダンパ部材６００の外周枠６１０、内周枠６２０、およびアーム部６３０は、コイルボビン５００を保持するための安定した特性を維持できる。このため、ダンパ部材６００は、コイルボビン５００を良好に保持することができる。
【００３５】
そして、外周枠６１０および内周枠６２０は、例えば表面が多孔性に形成されるポリブチレンテレフタレート樹脂などの接着性の高い素材で形成されている。このため、外周枠６１０は、フレーム２００に確実に接着固定でき、内周枠６２０は、コイルボビン５００に確実に接着固定できる。したがって、外周枠６１０により、ダンパ部材６００を確実にスピーカ装置に取り付けることができ、内周枠６２０により、コイルボビン５００が軸方向に往復運動したとしても、このコイルボビン５００を良好に保持することができる。
【００３６】
また、外周枠６１０および内周枠６２０は、耐熱性を有した素材、例えばポリブチレンテレフタレート樹脂などで形成されている。このため、外界の温度やフレーム２００の温度、コイルボビン５００の温度が上昇したとしても、外周枠６１０や内周枠６２０は変形したり軟化したりせず、接着力を長時間保持できる。したがって、外周枠６１０とフレーム２００との接着性や、内周枠６２０とコイルボビン５００との接着性は、熱によって変化しない。これにより、例えば、スピーカ装置１００が、炎天下に放置した車両などに装着されたり、熱源の近くに配置されたりしても、ダンパ部材６００は、コイルボビン５００を良好に保持できるので、スピーカ装置１００は、安定した特性の音声出力ができる。
【００３７】
さらに、ポリブチレンテレフタレート樹脂は、上述した特性の他に、強靭で柔軟性に富み、脆さに対して強い特性を持っている。このため、長期の使用や、フレーム２００およびコイルボビン５００の振動によって、外周枠６１０および内周枠６２０が破損する可能性が極めて低い。したがって、このポリブチレンテレフタレート樹脂で形成された外周枠６１０および内周枠６２０により、ダンパ部材６００は、確実にかつ安定してフレーム２００に固定され、良好にコイルボビン５００を保持することができる。
【００３８】
そして、アーム部６３０の軸部６３１は、共振性の低い素材、例えばポリプロピレン樹脂などにより形成されている。このため、振動板４００が振動したとしても、アーム部６３０の共振を防止できる。したがって、ダンパ部材６００は、アーム部６３０の共振による破損を防止して良好にコイルボビン５００を保持できる。さらに、音割れや雑音などを防止できるため、スピーカ装置１００は、安定した特性の音声出力ができる。
【００３９】
また、アーム部６３０の周部６３２は、剛性、靭性、および弾力性に優れた素材、例えばポリブチルテレフタレート樹脂などで形成されている。このため、アーム部６３０は、コイルボビン５００の運動により内周枠６２０が往復運動したとしても、周部６３２によってアーム部６３０の強度を維持できる。したがって、アーム部６３０は、往復運動する内周枠６２０を良好に長時間支持することができる。このため、スピーカ装置１００を長時間にわたって使用したとしても、ダンパ部材６００は破損することなくコイルボビン５００を保持することができる。
【００４０】
そして、ダンパ部材６００は、外周枠６１０と内周枠６２０とアーム部６３０とを一体的に形成している。このため、金型などで射出成形するなどして容易にダンパ部材６００を形成することができる。したがって、ダンパ部材６００の生産性を向上できる。
【００４１】
また、アーム部６３０は、蛇行状に湾曲して長手状に形成され、低共振性を有する素材で形成される軸部６３１と、軸部の周囲に良好な剛性、靭性、および弾性力を有する素材で形成される周部６３２とを備えている。このため、アーム部６３０は、長手方向にいずれの位置においても、強靭で柔軟性に富み、安定して内周枠６２０の往復運動に応じて撓むことができる。したがって、アーム部６３０は、内周枠６２０の外周枠６１０に対する往復運動を安定して支持できる。さらに、アーム部６３０は長手状に形成されるので、容易に製造でき、生産性の向上を図れる。
〔実施の形態の変形〕
【００４２】
なお、本発明は、上述した各実施の形態に限定されるものではなく、本発明の目的を達成できる範囲で以下に示される変形をも含むものである。
【００４３】
本実施の形態において、図３（Ａ）に示されるアーム部６３０を備えたダンパ部材６００の製造方法を示したが、これに限らない。例えば、図３（Ｂ）に示されるようなアーム部６３０Ｂを供えたダンパ部材では、アーム部キャビティ８３０に予め、ポリブチレンテレフタレート樹脂などで形成された強靭な素材の軸部６３１Ｂを設置する。そして、下型８０１と上型とでこの軸部６３１Ｂを挟持させた状態で、各射出口８１１，８２１，８３１から合成樹脂を射出させる。この時、射出口８１１，８２１からはポリブチレンテレフタレート樹脂などの耐熱性と接着性とに優れた合成樹脂を射出し、射出口８３１からは、ポリプロピレン樹脂などの低共振性の合成樹脂を同時に射出する。この時の射出速度は、それぞれの射出口８１１，８２１，８３１から射出された合成樹脂が略同時に、外周枠キャビティ８１０とアーム部キャビティ８３０との連結位置８１０Ａ，８１０Ｂ，８１０Ｃ，８１０Ｄ、または内周枠キャビティ８２０とアーム部キャビティ８３０との連結位置８２０Ａ，８２０Ｂ，８２０Ｃ，８２０Ｄに到達する速度に設定されている。これにより、外周枠６１０および内周枠６２０を形成する、例えばポリブチレンテレフタレート樹脂などの耐熱性、接着性に優れた素材とアーム部６３０を形成する例えばポリプロピレン樹脂などの低共振性を備えた素材とが各連結部において溶融状態で融着し、一体化される。なお、アーム部キャビティ８３０の射出口８３１から低共振性の合成樹脂を射出してアーム部６３０Ｂを形成した後に、射出口８１１，８２１から耐熱性と接着性とに優れた合成樹脂を射出するようにしてもよい。
【００４４】
また、本実施の形態では、外周部キャビティ８１０、内周部キャビティ８２０にそれぞれ4つの射出口８１１，８２１を形成したが、これに限らず、各キャビティには、少なくとも１つの射出口８１１，８２１が形成されていればよい。
【００４５】
また、本実施の形態において、アーム部６３０は、軸部６３１および周部６３２を備え、軸部６３１と周部６３２とは異なった素材で形成されることを示したが、これに限らず、さらに多くの素材で形成されていてもよい。例えば、アーム部は、軸部と軸部の周りの２層からなる周部を備えた３層構造であって、これらの３層は、それぞれ異なった素材で形成された構成であってもよい。また、３層のうち１層のみが異なった素材で形成される構成としてもよい。さらに、アーム部の長手方向の一部において、異なった素材を設ける構成としてもよい。例えば、低共振性の素材で形成されたアーム部の一部を切欠き、その切欠いた一部に例えば優れた剛性、弾性力、および靭性を有する素材、例えばポリブチレンテレフタレート樹脂などで形成された部材を嵌め込む構成としてもよい。
【００４６】
さらに、外周枠や内周枠が、複数の層を備え、それぞれの層が異なった素材で形成される構成としてもよい。このような場合、外周枠や内周枠の一部にそれぞれ、さらに硬度に強い素材を用いるなどすることで、より強度の高いダンパ部材を構成することができる。
【００４７】
また、本実施の形態では、一例として、耐熱性と接着性を有する素材としてポリブチレンテレフタレート樹脂を挙げ、低共振性を有する素材とポリプロピレン樹脂を挙げ、所定の剛性、靭性、および弾力性を備えた素材としてポリブチレンテレフタレート樹脂を挙げているが、これに限らない。これらの素材の代わりとして、同様の特性を有する他の合成樹脂素材を用いてもよい。
【００４８】
また、本実施の形態では、外周枠６１０と内周枠６２０とに、同種類の素材、すなわちポリブチレンテレフタレート樹脂を用いた例を示したが、これに限らない。例えば、外周枠６１０と内周枠６２０とアーム部６３０とが、それぞれ異なる種類の合成樹脂で形成される構成としてもよい。
【００４９】
さらに、本実施の形態では、アーム部６３０は、外周枠６１０と内周枠６２０とを連結する構成を示したが、これに限らない。例えば、アーム部は、内周枠の外周縁から鍔状に外周枠の内周縁まで広がって形成されるものであってもよい。この場合、アーム部の中心に低共振性の素材で形成される板状部を形成し、この板上部を挟むように、剛性、靭性、および弾力性が良好な素材を設ける構成としてもよく、板上部上に内周枠から外周枠に放射状に伸びる複数本の剛性、靭性、および弾力性が良好な素材で形成される棒状部材を融着させる構成としてもよい。
【００５０】
その他、本発明の実施の際の具体的な構造および手順は、本発明の目的を達成できる範囲で他の構造などに適宜変更できる。
【００５１】
〔実施の形態の作用効果〕
上述したように、ダンパ部材６００の外周枠６１０および内周枠６２０と、アーム部６３０とは、違う素材にて形成されている。このため、外周枠６１０および内周枠６２０と、アーム部６３０とのそれぞれの作用に応じて、それぞれに最も適した素材を用いることができる。したがって、ダンパ部材６００の外周枠６１０、内周枠６２０、およびアーム部６３０は、コイルボビン５００を保持するための安定した特性を維持できる。このため、ダンパ部材６００は、コイルボビン５００を良好に保持することができる。
【図面の簡単な説明】
【００５２】
【図１】本発明の一実施の形態におけるスピーカ装置を示す断面図である。
【図２】ダンパ部材の平面図である。
【図３】（Ａ）は、弾性変形部の断面図である。（Ｂ）は、弾性変形部の変形例の断面図である。（Ｃ）は、さらに別の変形例の弾性変形部を示す断面図である。（Ｄ）は、さらに別の変形例の弾性変形部を示す断面図である。
【図４】ダンパ部材を成形する金型を示す平面図である。
【符号の説明】
【００５３】
２００…フレーム
５００…コイルボビン
６００…ダンパとしてのダンパ部材
６１０…取付部としての外周枠
６２０…保持部としての内周枠
６３０…弾性変形部としてのアーム部
７００…コイルとしてのボイスコイル
８００…金型
８１０…取付部キャビティとしての外周枠キャビティ
８２０…保持部キャビティとしての内周枠キャビティ
８３０…弾性変形部キャビティとしてのアーム部キャビティ
【図１】
2005303895.tif 000003
【図２】
2005303895.tif 000004
【図３】
2005303895.tif 000005
【図４】
2005303895.tif 000006